(57)【要約】【課題】  組立作業性を向上させた、床を備えた小屋裏ユニットの製造方法及び小屋裏ユニットの床構造を提供する。【解決手段】  床を備えた小屋裏ユニット５の製造方法である。この小屋裏ユニット５の製造方法は、壁パネル１０を連結する壁パネル連結工程と、壁パネル連結工程後に、天井パネル２０を壁パネル１０に取り付ける天井パネル取付工程と、天井パネル取付工程後に、屋根パネル３０を壁パネル１０に取り付ける屋根パネル取付工程と、屋根パネル取付工程後に、床パネル４０を壁パネル１０に取り付ける床パネル取付工程と、を含む。【選択図】図１６
2020016043.tif 000002
【特許請求の範囲】
【請求項１】
床を備えた小屋裏ユニットの製造方法であって、
壁パネルを連結する壁パネル連結工程と、
前記壁パネル連結工程後に、天井パネルを前記壁パネルに取り付ける天井パネル取付工程と、
前記天井パネル取付工程後に、屋根パネルを前記壁パネルに取り付ける屋根パネル取付工程と、
前記屋根パネル取付工程後に、床パネルを前記壁パネルに取り付ける床パネル取付工程と、を含む
ことを特徴とする、小屋裏ユニットの製造方法。
【請求項２】
前記天井パネル取付工程では、前記天井パネルを直下から支持する仮支持具を使用する
ことを特徴とする、請求項１に記載の小屋裏ユニットの製造方法。
【請求項３】
前記床パネルには、前記床パネル取付工程の前に、内装材が取り付けられている
ことを特徴とする、請求項１又は２に記載の小屋裏ユニットの製造方法。
【請求項４】
前記床パネルの側面には、前記床パネルの外側に向かって斜め下方に傾斜する傾斜部を有するスペーサを備え、
前記床パネル取付工程では、前記壁パネルは、前記床パネルの上方から、前記スペーサを介して、前記床パネルの前記側面に取り付けられる
ことを特徴とする、請求項１〜３の何れか一項に記載の小屋裏ユニットの製造方法。
【請求項５】
床パネルを壁パネルに取り付けた小屋裏ユニットの床構造であって、
前記床パネルの側面と、前記壁パネルの内壁との間に、前記床パネルの外側に向かって斜め下方に傾斜する傾斜部を有するスペーサを備える
ことを特徴とする、小屋裏ユニットの床構造。
【発明の詳細な説明】
【技術分野】
【０００１】
本発明は、床を備えた小屋裏ユニットの製造方法及び小屋裏ユニットの床構造に関するものである。
【背景技術】
【０００２】
従来、屋根と天井との間に小屋裏を設けることが知られている（例えば、特許文献１参照）。
【０００３】
特許文献１には、たる木や桁側屋根継梁等が組まれた屋根枠組に屋根面材を取着してなる屋根パネルと、天井根太や桁側天井継梁等が組まれた天井枠組に天井面材を取着してなる天井パネルとが、互いに離隔状態で上下に相対向配置されてなると共に、トラス構造に組み込まれた斜材及び垂直材を介して、接合一体化されてなる天井付き屋根ユニットが開示されている。
【先行技術文献】
【特許文献】
【０００４】
【特許文献１】特開平９−０１３５７０号公報
【発明の概要】
【発明が解決しようとする課題】
【０００５】
しかしながら、特許文献１の天井付き屋根ユニットは、床を備えていない。そのため、例えば小屋裏を小屋裏収納空間とする場合、床を天井付き屋根ユニットに取り付ける必要があり、組立作業性が悪い、という問題がある。
【０００６】
そこで、本発明は、組立作業性を向上させた、床を備えた小屋裏ユニットの製造方法及び小屋裏ユニットの床構造を提供することを目的とする。
【課題を解決するための手段】
【０００７】
前記目的を達成するために、本発明の小屋裏ユニットの製造方法は、床を備えた小屋裏ユニットの製造方法であって、壁パネルを連結する壁パネル連結工程と、前記壁パネル連結工程後に、天井パネルを前記壁パネルに取り付ける天井パネル取付工程と、前記天井パネル取付工程後に、屋根パネルを前記壁パネルに取り付ける屋根パネル取付工程と、前記屋根パネル取付工程後に、床パネルを前記壁パネルに取り付ける床パネル取付工程と、を含むことを特徴とする。
【０００８】
ここで、本発明の小屋裏ユニットの製造方法は、前記天井パネル取付工程では、前記天井パネルを直下から支持する仮支持具を使用してもよい。
【０００９】
また、本発明の小屋裏ユニットの製造方法は、前記床パネルには、前記床パネル取付工程の前に、内装材が取り付けられてもよい。
【００１０】
また、本発明の小屋裏ユニットの製造方法は、前記床パネルの側面には、前記床パネルの外側に向かって斜め下方に傾斜する傾斜部を有するスペーサを備え、前記床パネル取付工程では、前記壁パネルは、前記床パネルの上方から、前記スペーサを介して、前記床パネルの前記側面に取り付けられてもよい。
【００１１】
また、本発明の小屋裏ユニットの床構造は、床パネルと、壁パネルとを備える小屋裏ユニットの床構造であって、前記床パネルの側面と、前記壁パネルの内壁との間に、前記床パネルの外側に向かって斜め下方に傾斜する傾斜部を有するスペーサを備えてもよい。
【発明の効果】
【００１２】
このように構成された本発明の小屋裏ユニットの製造方法では、壁パネルを連結する壁パネル連結工程と、前記壁パネル連結工程後に、天井パネルを前記壁パネルに取り付ける天井パネル取付工程と、前記天井パネル取付工程後に、屋根パネルを前記壁パネルに取り付ける屋根パネル取付工程と、前記屋根パネル取付工程後に、床パネルを前記壁パネルに取り付ける床パネル取付工程と、を含むことで、床パネル取付工程の前に、天井パネル取付工程と屋根パネル取付工程を実施することができる。そのため、天井パネル取付工程と屋根パネル取付工程において、天井パネルの下方のスペースを有効活用して、小屋裏ユニットの組立作業性を向上させることができる。
【００１３】
また、本発明の小屋裏ユニットの製造方法では、前記天井パネル取付工程では、前記天井パネルを直下から支持する仮支持具を使用することで、工場のフロアに仮支持具を配置することができるため、天井パネル取付工程の作業性を向上させることができる。
【００１４】
また、本発明の小屋裏ユニットの製造方法では、前記床パネルには、前記床パネル取付工程の前に、内装材が取り付けられることで、床パネルに取り付けられた内装材を汚すことなく、工場で小屋裏ユニットを組み立てることができ、作業の効率化を図ることができる。
【００１５】
また、本発明の小屋裏ユニットの製造方法では、前記床パネルの側面には、前記床パネルの外側に向かって斜め下方に傾斜する傾斜部を有するスペーサを備え、前記床パネル取付工程では、前記壁パネルは、前記床パネルの上方から、前記スペーサを介して、前記床パネルの前記側面に取り付けられることで、壁パネルを傾斜部に沿わして、床パネルに取り付けることができる。そのため、壁パネルを、床パネルの所望の位置に、容易に配置することができ、取付作業性を向上させることができる。
【００１６】
さらに、本発明の小屋裏ユニットの床構造は、床パネルと、壁パネルとを備える小屋裏ユニットの床構造であって、前記床パネルの側面と、前記壁パネルの内壁との間に、前記床パネルの外側に向かって斜め下方に傾斜する傾斜部を有するスペーサを備えることで、壁パネルを床パネルに取り付ける際に、スペーサの傾斜部をガイドとして機能させることができる。そのため、床パネルの壁パネルへの取付作業性を向上させることができる。
【図面の簡単な説明】
【００１７】
【図１】実施例１のユニット建物の構成を示す側面図である。
【図２】実施例１の小屋裏ユニットの壁パネルの構成を示す分解斜視図である。
【図３】実施例１の小屋裏ユニットの天井パネルの構成を示す分解斜視図である。
【図４】実施例１の小屋裏ユニットの屋根パネルの構成を示す斜視図である。
【図５】実施例１の小屋裏ユニットの床パネルの構成を示す斜視図である。
【図６】実施例１の床パネルに取り付けられたスペーサの構成を示す斜視図である。
【図７】実施例１の壁パネルと床パネルの取付構造を示す断面図である。
【図８】実施例１の壁パネルと天井パネルの取付構造を示す断面図である。
【図９】実施例１の天井パネル取付工程で使用する第１ジグを示す斜視図である。
【図１０】実施例１の天井パネル取付工程で使用する第２ジグを示す斜視図である。
【図１１】実施例１の天井パネル取付工程を示す断面図である。
【図１２】実施例１の天井パネル取付工程を示す分解斜視図である。
【図１３】実施例１の天井パネル取付工程を示す分解斜視図である。
【図１４】実施例１の屋根パネル取付工程を示す分解斜視図である。
【図１５】実施例１の屋根パネル取付工程を示す斜視図である。
【図１６】実施例１の床パネル取付工程を示す分解斜視図である。
【図１７】実施例１の床パネル取付工程を説明する断面図である。
【図１８】実施例１の床パネル取付工程を説明する断面図である。
【発明を実施するための形態】
【００１８】
以下、本発明による小屋裏ユニットの製造方法及び小屋裏ユニットの床構造を実現する実施形態を、図面に示す実施例１に基づいて説明する。
【実施例１】
【００１９】
小屋裏ユニットの製造方法及び小屋裏ユニットの床構造は、例えば、工場で予め製造された建物ユニットを建築現場へ搬送して、建築現場で複数の建物ユニットを並べて組み立てることによって構築する木造枠組壁構法のユニット建物に適用される。
【００２０】
［ユニット建物の構成］
図１は、実施例１のユニット建物の構成を示す側面図である。以下、図１に基づいて、実施例１のユニット建物の構成を説明する。
【００２１】
ユニット建物１は、図１に示すように、基礎２の上に、下階の建物ユニット３が設置され、下階の建物ユニット３の上に上階の建物ユニット４が設置され、上階の建物ユニット４の上に小屋裏ユニット５と屋根ユニット６が設置されるものとなっている。
【００２２】
建物ユニット３，４は、枠組に面材が取り付けられた床パネルと壁パネルとからなる。壁パネルは、床パネルの側縁に沿って取り付けられる。
【００２３】
［小屋裏ユニットの構成］
図２は、実施例１の小屋裏ユニットの壁パネルの構成を示す分解斜視図である。図３は、実施例１の小屋裏ユニットの天井パネルの構成を示す分解斜視図である。図４は、実施例１の小屋裏ユニットの屋根パネルの構成を示す斜視図である。図５は、実施例１の小屋裏ユニットの床パネルの構成を示す斜視図である。図６は、実施例１の床パネルに取り付けられたスペーサの構成を示す斜視図である。以下、図１〜図６に基づいて、実施例１の小屋裏ユニット５の構成を説明する。なお、ユニット建物１の長手方向を桁方向Ｘとし、ユニット建物１の長手方向と直交する方向を妻方向Ｙとし、上下の方向を上下方向Ｚとする。
【００２４】
小屋裏ユニット５は、図１に示すように、床パネル４０と、床パネル４０の側面（外縁）に取り付けられる壁パネル１０と、壁パネル１０に取り付けられる天井パネル２０と、天井パネル２０より上方に設けられる屋根パネル３０と、を備える。床パネル４０と、壁パネル１０と、天井パネル２０とで囲まれた空間は、小屋裏収納空間Ｖとなる。
【００２５】
（壁パネルの構成）
壁パネル１０は、図２に示すように、桁側に対向して配置される一対の桁側壁パネル１１と、妻側に対向して配置される一対の妻側壁パネル１２と、を備える。
【００２６】
桁側壁パネル１１は、上弦材１１ａと、下弦材１１ｂと、上弦材１１ａと下弦材１１ｂとを接続する束材１１ｃと、束材１１ｃに取り付けられる壁面材１１ｄと、で形成される。
【００２７】
上弦材１１ａは、桁側壁パネル１１の上端を形成する。下弦材１１ｂは、桁側壁パネル１１の下端を形成する。
【００２８】
束材１１ｃは、上下方向Ｚに延在する複数の縦束材と、斜め方向に延在する複数の斜め束材とでトラス状に形成される。
【００２９】
壁面材１１ｄは、例えば石膏ボードで形成される。壁面材１１ｄは、小屋裏収納空間Ｖに面するように、束材１１ｃに取り付けられる。壁面材１１ｄには、壁面材１１ｄ間の段差をなくすためのパテ処理が施されている。
【００３０】
妻側壁パネル１２は、上枠材１２ａと、下枠材１２ｂと、上枠材１２ａと下枠材１２ｂとを接続する縦材１２ｃと、縦材１２ｃに取り付けられる壁面材１２ｄと、縦材１２ｃを下方で補強する下側補強材１２ｅと、縦材１２ｃを上方で補強する上側補強材１２ｆと、で形成される。
【００３１】
上枠材１２ａは、妻側壁パネル１２の上端を形成する。下枠材１２ｂは、妻側壁パネル１２の下端を形成する。
【００３２】
縦材１２ｃは、複数設けられ、上枠材１２ａと下枠材１２ｂとの間に架け渡される。壁面材１２ｄは、例えば石膏ボードで形成される。壁面材１２ｄは、小屋裏収納空間Ｖに面するように、縦材１２ｃに取り付けられる。壁面材１２ｄには、壁面材１２ｄ間の段差をなくすためのパテ処理が施されている。
【００３３】
下側補強材１２ｅは、妻側壁パネル１２の下側で、各縦材１２ｃ間に架け渡される。上側補強材１２ｆは、妻側壁パネル１２の上側で、各縦材１２ｃ間に架け渡される。
【００３４】
（天井パネルの構成）
天井パネル２０は、図３に示すように、水平に配置された水平天井パネル２１と、水平天井パネル２１に対して傾斜した傾斜天井パネル２２，２３と、を備える。
【００３５】
水平天井パネル２１は、水平天井パネル２１の縁部に配置された４つの枠材２１ａと、枠材２１ａ間に架け渡された複数の補強材２１ｂと、枠材２１ａと補強材２１ｂとに取り付けられた天井面材２１ｃと、を備える。
【００３６】
４つの枠材２１ａは、互いに連結されて枠組を形成する。対向する２つの枠材２１ａ間には、複数の補強材２１ｂが架け渡される。
【００３７】
天井面材２１ｃは、例えば石膏ボードで形成される。天井面材２１ｃは、小屋裏収納空間Ｖに面するように、枠材２１ａと補強材２１ｂとに取り付けられる。天井面材２１ｃには、天井面材２１ｃ間の段差をなくすように、パテ処理が施されている。
【００３８】
傾斜天井パネル２２と傾斜天井パネル２３は、水平天井パネル２１の桁側に対向するように配置される。なお、傾斜天井パネル２２と、傾斜天井パネル２３とは、水平天井パネル２１に垂直な面に対して、対称形状であるため、傾斜天井パネル２２について説明し、傾斜天井パネル２３については、対応する拡張符号（２３ａ〜２３ｄ）を付して詳細な記載を省略する。
【００３９】
傾斜天井パネル２２は、傾斜天井パネル２２の縁部に配置された４つの枠材２２ａと、枠材２２ａ間に架け渡された複数の補強材２２ｂと、枠材２２ａと補強材２２ｂとに取り付けられた天井面材２２ｃと、枠材２２ａに取り付けられた引っ掛け部２２ｄと、を備える。
【００４０】
４つの枠材２２ａは、互いに連結されて枠組を形成する。対向する２つの枠材２２ａ間には、複数の補強材２２ｂが架け渡される。
【００４１】
天井面材２２ｃは、例えば石膏ボードで形成される。天井面材２２ｃは、小屋裏収納空間Ｖに面するように、枠材２２ａと補強材２２ｂとに取り付けられる。天井面材２２ｃには、天井面材２２ｃ間の段差をなくすように、パテ処理が施されている。
【００４２】
引っ掛け部２２ｄは、矩形の板状に形成される。引っ掛け部２２ｄは、天井面材２２ｃの上端部に形成された枠材２２ａに、例えば２つ取り付けられる。引っ掛け部２２ｄは、傾斜天井パネル２２の外縁から飛び出して形成される。
【００４３】
（屋根パネル）
屋根パネル３０は、図４に示すように、桁方向Ｘに延在する棟木３１と、棟木３１に取り付けられる垂木３２と、垂木３２の上面に取り付けられる野地板３３と、垂木３２に取り付けられる吊木３４と、で構成される。
【００４４】
垂木３２は、屋根の勾配に沿った傾斜した姿勢で、桁方向Ｘに並んで複数配置される。垂木３２の一方の端部は、棟木３１に固定される。
【００４５】
吊木３４は、各垂木３２に取り付けられる。吊木３４は、水平天井パネル２１と、傾斜天井パネル２２，２３とに固定されて、水平天井パネル２１と、傾斜天井パネル２２，２３とを上方から吊り支える。野地板３３は、垂木３２の上面に取り付けられる。野地板３３には、防水シートを取り付けてもよい。
【００４６】
（床パネル）
床パネル４０は、床パネル４０の縁部に配置された４つの枠材４０ａと、枠材４０ａ間に架け渡された複数の補強材４０ｂと、枠材４０ａと補強材４０ｂとに取り付けられた床面材４０ｃと、枠材４０ａの外周面に取り付けられたスペーサ５０と、を備える。
【００４７】
４つの枠材４０ａは、互いに連結されて枠組を形成する。対向する２つの枠材４０ａ間には、複数の補強材４０ｂが架け渡される。
【００４８】
床面材４０ｃは、例えば石膏ボードで形成される。床面材４０ｃは、小屋裏収納空間Ｖに面するように、枠材４０ａと補強材４０ｂとに取り付けられる。床面材４０ｃには、床面材４０ｃ間の段差をなくすように、パテ処理が施されている。また、床面材４０ｃには、フローリングやカーペット等の内装材４０ｄが取り付けられている。
【００４９】
スペーサ５０は、床パネル４０を囲むように、４つの枠材４０ａの外周面に設けられる。すなわち、スペーサ５０は、床パネル４０の側面に設けられる。
【００５０】
スペーサ５０の下端部５０ａは、床パネル４０の枠材４０ａの下端に揃えられて、枠材４０ａに取り付けられる。スペーサ５０の上端には、スペーサ５０の内壁面から外壁面に向かって、斜め下方に傾斜する傾斜部５０ｂが形成される。すなわち、傾斜部５０ｂは、床パネル４０の外側に向かって斜め下方に傾斜する。スペーサ５０の傾斜部５０ｂは、上下方向Ｚで、床パネル４０の枠材４０ａの高さより、低く形成される。
【００５１】
（壁パネルと床パネルの取付構造）
図７は、実施例１の壁パネル１０と床パネル４０の取付構造を示す断面図である。以下、図７に基づいて、実施例１の壁パネルと床パネルの取付構造を説明する。なお、壁パネル１０と床パネル４０の取付構造は、桁側壁パネル１１と妻側壁パネル１２とで同様の構造となるため、桁側壁パネル１１と床パネル４０の取付構造について説明する。
【００５２】
桁側壁パネル１１の下弦材１１ｂは、スペーサ５０を介して、床パネル４０の枠材４０ａに、例えば、釘Ｓによって取り付けられる。スペーサ５０は、厚み（幅）Ｗを有する。そのため、スペーサ５０の上方であって、床パネル４０の側面と、桁側壁パネル１１の内壁面との間には、幅Ｗの隙間Ｇが形成される。
【００５３】
壁面材１１ｄの下端部は、隙間Ｇに収容される。このため、床面材４０ｃを壁面材１１ｄに突付けすることができ、床面材４０ｃと壁面材１１ｄとの見切り部を綺麗に見せることができる。
【００５４】
（壁パネルと天井パネルの取付構造）
図８は、実施例１の壁パネル１０と天井パネル２０の取付構造を示す断面図である。以下、図８に基づいて、実施例１の壁パネル１０と天井パネル２０の取付構造を説明する。なお、傾斜天井パネル２２と、傾斜天井パネル２３とは、同様の取付構造となるため、傾斜天井パネル２２について説明する。
【００５５】
傾斜天井パネル２２の引っ掛け部２２ｄが、水平天井パネル２１の枠材２１ａの上面に引っ掛けられる。傾斜天井パネル２２の上端の枠材２２ａは、水平天井パネル２１の枠材２１ａに、例えば釘Ｓによって、固定される。
【００５６】
傾斜天井パネル２２の下端の枠材２２ａは、桁側壁パネル１１に、例えば釘Ｓによって、固定される。
【００５７】
水平天井パネル２１の天井面材２１ｃと、傾斜天井パネル２２の天井面材２２ｃとの合わせ部には、気密テープＴが貼り付けられる。傾斜天井パネル２２の天井面材２２ｃと、桁側壁パネル１１の壁面材１１ｄとの合わせ部には、気密テープＴが貼り付けられる。
【００５８】
［小屋裏ユニットの組立方法］
図９は、実施例１の天井パネル取付工程で使用する第１ジグを示す斜視図である。図１０は、実施例１の天井パネル取付工程で使用する第２ジグを示す斜視図である。図１１は、実施例１の天井パネル取付工程を示す断面図である。図１２は、実施例１の天井パネル取付工程を示す分解斜視図である。図１３は、実施例１の天井パネル取付工程を示す分解斜視図である。図１４は、実施例１の屋根パネル取付工程を示す分解斜視図である。図１５は、実施例１の屋根パネル取付工程を示す斜視図である。図１６は、実施例１の床パネル取付工程を示す分解斜視図である。図１７は、実施例１の床パネル取付工程を説明する断面図である。図１８は、実施例１の床パネル取付工程を説明する断面図である。以下、図２，図９〜図１８に基づいて、実施例１の小屋裏ユニットの組立方法を説明する。
【００５９】
（壁パネル連結工程）
壁パネル連結工程では、図２に示すように、桁側壁パネル１１の側部と、妻側壁パネル１２の側部とを、例えば釘によって、連結する。
【００６０】
（天井パネル取付工程）
天井パネル取付工程では、仮支持具としての第１ジグ９１と第２ジグ９２を使用する。第１ジグ９１は、図９に示すように、上下方向Ｚに延在する本体９１ａと、本体９１ａの下端に取り付けられる土台９１ｂと、本体９１ａの上端に取り付けられる支持部９１ｃと、を備える。第１ジグ９１は、工場のフロアに置かれて、水平天井パネル２１を支持する。
【００６１】
第２ジグ９２は、図１０に示すように、上下方向Ｚに延在する取付面を有する板状の土台９２ａと、土台９２ａの取付面に固定される支持部９２ｂと、を備える。第２ジグ９２は、桁側壁パネル１１の壁面材１１ｄに仮固定され、傾斜天井パネル２２，２３を支持する。
【００６２】
天井パネル取付工程では、図１１に示すように、壁パネル１０で囲まれた空間であって、工場のフロアに、第１ジグ９１を設置する。また、桁側壁パネル１１の壁面材１１ｄに第２ジグ９２を仮固定する。次いで、図１１及び図１２に示すように、水平天井パネル２１を、第１ジグ９１の支持部９１ｃに載置する。
【００６３】
次いで、図１１及び図１３に示すように、傾斜天井パネル２２，２３の上端にある引っ掛け部２２ｄ，２３ｄを、水平天井パネル２１の枠材２１ａに引っ掛けると共に、傾斜天井パネル２２，２３の下端を第２ジグ９２の支持部９２ｂに載置する。
【００６４】
次いで、傾斜天井パネル２２，２３の上端の枠材２２ａ，２３ａを、水平天井パネル２１の枠材２１ａに、例えば釘Ｓによって、固定する。傾斜天井パネル２２，２３の下端の枠材２２ａ，２３ａを、桁側壁パネル１１に、例えば釘Ｓによって、固定する。次いで、第１ジグ９１と、第２ジグ９２を撤去する。
【００６５】
（屋根パネル取付工程）
屋根パネル取付工程では、図１４に示すように、垂木３２の一方の端部を棟木３１に固定し、他方の端部を上弦材１１ａに固定する。次いで、吊木３４を水平天井パネル２１と傾斜天井パネル２２，２３とに固定する。次いで、断熱材Ｆを水平天井パネル２１と傾斜天井パネル２２，２３の上面に敷く。断熱材Ｆは、２層以上にしてもよい。次いで、図１５に示すように、野地板３３を垂木３２の上面に取り付ける。これにより、小屋裏サブユニット５Ａが形成される。
【００６６】
（床パネル取付工程）
床パネル取付工程では、図１６に示すように、土台９３に床パネル４０を載置する。次いで、小屋裏サブユニット５Ａをクレーンで吊上げて、床パネル４０の上方に移動する。
【００６７】
次いで、図１７に示すように、小屋裏サブユニット５Ａを下降させる。この際、壁パネル１０の内壁を、スペーサ５０の傾斜部５０ｂに沿わして、壁パネル１０を床パネル４０に対して、所望の位置に配置する。
【００６８】
次いで、図１８に示すように、桁側壁パネル１１の下弦材１１ｂを、スペーサ５０を介して、床パネル４０の枠材４０ａに、釘Ｓによって取り付ける。以上の工程を経て、小屋裏ユニット５が組み立てられる。
【００６９】
次に、実施例１の小屋裏ユニット５の製造方法及び小屋裏ユニット５の床構造の作用を説明する。実施例１の小屋裏ユニット５の製造方法は、床を備えた小屋裏ユニット５の製造方法である。この小屋裏ユニット５の製造方法は、壁パネル１０を連結する壁パネル連結工程と、壁パネル連結工程後に、天井パネル２０を壁パネル１０に取り付ける天井パネル取付工程と、天井パネル取付工程後に、屋根パネル３０を壁パネル１０に取り付ける屋根パネル取付工程と、屋根パネル取付工程後に、床パネル４０を壁パネル１０に取り付ける床パネル取付工程と、を含む（図２，図１２〜図１６）。
【００７０】
これにより、床パネル取付工程の前に、天井パネル取付工程と屋根パネル取付工程を実施することができる。そのため、天井パネル取付工程と屋根パネル取付工程において、天井パネル２０の下方のスペースを有効活用することができる。その結果、小屋裏ユニット５の組立作業性を向上させることができる。
【００７１】
実施例１の小屋裏ユニット５の製造方法は、天井パネル取付工程では、天井パネル２０を直下から支持する仮支持具（第１ジグ９１）を使用する（図１１）。
【００７２】
これにより、天井パネル取付工程では、天井パネル２０の直下に床パネル４０がまだ取り付けられていないことから、工場のフロアに仮支持具（第１ジグ９１）を配置することができる。そのため、天井パネル取付工程の作業性を向上させることができる。
【００７３】
実施例１の小屋裏ユニット５の製造方法は、床パネル４０には、床パネル取付工程の前に、内装材４０ｄが取り付けられている（図５）。
【００７４】
これにより、床パネル４０に取り付けられた内装材４０ｄを汚すことなく、工場で小屋裏ユニット５を組み立てることができる。そのため、工事現場で内装材４０ｄを取り付ける必要がなくなり、作業の効率化を図ることができる。
【００７５】
実施例１の小屋裏ユニット５の製造方法は、床パネル４０の側面には、床パネル４０の外側に向かって斜め下方に傾斜する傾斜部５０ｂを有するスペーサ５０を備え、床パネル取付工程では、壁パネル１０は、床パネル４０の上方から、スペーサ５０を介して、床パネル４０の側面に取り付けられる（図１７及び図１８）。
【００７６】
これにより、壁パネル１０を傾斜部５０ｂに沿わして、壁パネル１０を床パネル４０に取り付けることができる。そのため、壁パネル１０を、床パネル４０の所望の位置に、容易に配置することができる。その結果、壁パネル１０の床パネル４０への取付作業性を向上させることができる。
【００７７】
実施例１の小屋裏ユニット５の製造方法は、床パネル４０を壁パネル１０に取り付けた小屋裏ユニット５の床構造であって、床パネル４０の側面と、壁パネル１０の内壁との間に、床パネル４０の外側に向かって斜め下方に傾斜する傾斜部５０ｂを有するスペーサ５０を備える（図７）。
【００７８】
これにより、壁パネル１０を床パネル４０に取り付ける際に、スペーサ５０の傾斜部５０ｂをガイドとして機能させることができる。そのため、床パネル４０の壁パネル１０への取付作業性を向上させることができる。また、壁パネル１０の内壁と、床パネル４０の側面との間に、スペーサ５０を配置することで、隙間Ｇを形成することができる。そのため、隙間Ｇに、壁面材１１ｄの端部を収めることができる。
【００７９】
以上、本発明の小屋裏ユニットの製造方法及び小屋裏ユニットの床構造を実施例１に基づき説明してきた。しかし、具体的な構成については、この実施例に限られるものではなく、特許請求の範囲の各請求項に係る発明の要旨を逸脱しない限り、設計の変更や追加等は許容される。
【００８０】
実施例１では、スペーサ５０の上端に、スペーサ５０の内壁面から外壁面に向かって、斜め下方に傾斜する傾斜部５０ｂが形成される例を示した。しかし、スペーサとしては、スペーサの上面が傾斜面（傾斜部）を形成する断面三角形状に形成されてもよい。
【００８１】
実施例１では、本発明の小屋裏ユニットの製造方法及び小屋裏ユニットの床構造を、切妻屋根のユニット建物に適用する例を示した。しかし、本発明の小屋裏ユニットは、この態様に限定されず、寄棟屋根や、入母屋屋根や、型流れ屋根などに適用することができる。
【符号の説明】
【００８２】
１      ユニット建物
５      小屋裏ユニット
１０    壁パネル
２０    天井パネル
３０    屋根パネル
４０    床パネル
４０ｄ  内装材
５０    スペーサ
５０ｂ  傾斜部
９１    第１ジグ（仮支持具の一例）
【図１】
2020016043.tif 000003
【図２】
2020016043.tif 000004
【図３】
2020016043.tif 000005
【図４】
2020016043.tif 000006
【図５】
2020016043.tif 000007
【図６】
2020016043.tif 000008
【図７】
2020016043.tif 000009
【図８】
2020016043.tif 000010
【図９】
2020016043.tif 000011
【図１０】
2020016043.tif 000012
【図１１】
2020016043.tif 000013
【図１２】
2020016043.tif 000014
【図１３】
2020016043.tif 000015
【図１４】
2020016043.tif 000016
【図１５】
2020016043.tif 000017
【図１６】
2020016043.tif 000018
【図１７】
2020016043.tif 000019
【図１８】
2020016043.tif 000020